(57)【要約】【課題】電子透かしが埋め込まれたデータか否かをデータ記録媒体単体で判別することを可能とする。【解決手段】電池１７から報知装置１６への電力の供給を制御することができるスイッチ１５をオン操作することにより、電子透かし検出回路１３がメモリ１１に電子透かしが埋め込まれたデータを記録することを検出した際に、報知装置１６から音、光、振動、香気のいずれか一つ又は複数個の報知情報を出力する。更に、電子透かし検出回路１３により検出された異なる内容の電子透かしに応じて、異なる内容の報知情報を報知装置１６から出力する。また、電子透かし検出回路１３により検出された電子透かしの内容に対応して、使用者が予め設定したデータのデータ種別或いはデータ種別の分類情報を判別することができるデータ判別回路１４を用いて、分類された該データ種別或いはデータ種別の分類情報に応じた異なる内容の報知情報を報知装置１６から出力する。【選択図】　　　　図１
2004064109.tif 000002
【特許請求の範囲】
【請求項１】
電子透かしが埋め込まれたデータが記録されていることを検出することができる電子透かし検出手段と、該電子透かし検出手段により前記電子透かしが埋め込まれていることが検出された際に、使用者の知覚系に感応させることができる刺激情報を報知情報として出力することにより、前記電子透かしが埋め込まれたデータが記録されていることを使用者に報知する報知手段とを備えていることを特徴とするデータ記録媒体。
【請求項２】
請求項１に記載のデータ記録媒体において、前記報知手段が出力する前記報知情報が、音、光、振動、香気のいずれか一つ又は複数個の報知情報からなっていることを特徴とするデータ記録媒体。
【請求項３】
請求項１又は２に記載のデータ記録媒体において、データに埋め込まれる前記電子透かしが、前記データのデータ種別に応じて異なる内容の電子透かしからなっていて、前記電子透かし検出手段が、異なる内容の電子透かしを判別して検出することができることを特徴とするデータ記録媒体。
【請求項４】
請求項３に記載のデータ記録媒体において、前記報知手段が、前記電子透かし検出手段により判別して検出された異なる内容の電子透かしそれぞれに応じて、前記報知情報を異なる内容からなる報知情報として出力することが可能であることを特徴とするデータ記録媒体。
【請求項５】
請求項１乃至４のいずれかに記載のデータ記録媒体において、異なる内容の電子透かしそれぞれに対応するデータ種別を分類分けしてデータ種別の分類情報として予め設定することができるデータ判別手段を備え、前記電子透かし検出手段により検出された異なる内容の電子透かしそれぞれに基づいて、前記データ判別手段が、予め設定されている前記データ種別の分類情報を索引することにより、検出された異なる内容の電子透かしに該当するデータ種別の分類情報を特定して判別することができることを特徴とするデータ記録媒体。
【請求項６】
請求項５に記載のデータ記録媒体において、前記データ判別手段により特定して判別された前記データ種別の分類情報に応じて、前記報知手段が、前記報知情報を異なる内容からなる報知情報として出力することが可能であることを特徴とするデータ記録媒体。
【請求項７】
請求項１乃至６のいずれかに記載のデータ記録媒体において、使用者がマニュアル操作することが可能なスイッチを備え、該スイッチのオン／オフ操作により、前記報知手段からの前記報知情報の出力動作を制御することを可能とすることを特徴とするデータ記録媒体。
【請求項８】
請求項１乃至７のいずれかに記載の前記データ記録媒体に記録されるデータとして、データ種別に応じて電子透かしを埋め込んだ状態のデータを前記データ記録媒体に記録させることができ、また、前記電子透かしが埋め込まれているデータを前記データ記録媒体から読み出すことができることを特徴とするデータ記録再生装置。
【請求項９】
データ記録媒体に記録されるデータのデータ種別に応じて電子透かしを埋め込んだ状態のデータを、前記データ記録媒体に記録するデータ記録ステップと、該データ記録ステップにより記録された前記データに埋め込まれた電子透かしを当該データ記録媒体単体で判別することができる電子透かし検出手段により、電子透かしが埋め込まれていることが検出された際に、使用者の知覚系に感応することができる刺激情報を報知情報として出力する検出・報知ステップとからなり、電子透かしが埋め込まれたデータが記録されていることを当該データ記録媒体単体で使用者に報知することを可能とすることを特徴とするデータ記録方法。
【発明の詳細な説明】
【０００１】
【発明の属する技術分野】
本発明は、データ記録媒体、データ記録再生装置及びデータ記録方法に関し、特に、電子透かしを埋め込んだデータを記録しているメモリカード等のデータ記録媒体を該データ記録媒体単体で判別することができるデータ記録媒体、データ記録再生装置及びデータ記録方法に関する。
【０００２】
【従来の技術】
近年、インターネットの普及と共に、ＡＶ（Ａｕｄｉｏ　Ｖｉｓｕａｌ）機器のデジタル化が進んだことから、デジタルコンテンツを流通させる手段が急増している。これに伴い、近年、音声データや画像データ等のデジタルコンテンツの不正コピーが問題となっている。かかるデジタルコンテンツの不正コピーを防止するための方策として、電子透かし（Ｄｉｇｉｔａｌ　Ｗａｔｅｒｍａｒｋ）処理により、デジタルコンテンツの著作権の所在を示す著作権情報を埋め込む方法が提案されている。
【０００３】
電子透かし処理とは、音声データや画像データ内に存在していて、人間の知覚上重要ではないデータ部分、即ち、再生される音楽や映像に関して人間の知覚からは殆ど認知することができない冗長なデータ部分に、雑音として、例えば著作権保護などの情報を非公開の秘密の処理方法に基づいて埋め込む処理のことである。かかる電子透かし処理を用いて、電子透かしとして著作権情報が埋め込まれた音楽データや画像データ等は、埋め込まれている著作権情報を除去することが極めて困難であり、フィルタリング処理やデータ圧縮処理を施した後であっても、電子透かしとして一旦埋め込まれた著作権情報はそのまま音楽データや画像データと一緒に記録されたままとなり、音楽データや画像データの再生の際に、該著作権情報が最初に取り出されて、以降の再生動作を抑止して、不正コピーを防止することができる。
【０００４】
また、電子透かし処理を用いた従来例として、特開平１１−１４５８４０号公報「送信及び／又は記録装置、受信及び／又は再生装置、送受信／記録再生装置、送受信システム、送信及び／又は記録方法、受信及び／又は再生方法。並びに、記録媒体」に記載された技術がある。以下に、特開平１１−１４５８４０号公報に記載の従来の実施形態について図４を参照しながら説明する。ここに、図４は、特開平１１−１４５８４０号公報に記載の従来の実施形態における電子透かし処理の動作を説明するための画像信号を示す信号シーケンス図である。
【０００５】
画像信号は、図４（Ａ）に示すように、１水平区間が、当該画像信号を画面表示する期間である有効画面期間と画面表示しない期間である水平ブランキング期間とに分割されている。なお、図４（Ａ）においては、当該画像信号が、有効画面期間中において、信号レベルが一定の信号であるものとして示しているが、実際には、画像内容に応じて、有効画面期間中に信号レベルが変化する信号である。
【０００６】
一方、電子透かしの画像信号を図４（Ａ）の画像信号に挿入する際の挿入波形は、図４（Ｂ）に示すように、図４（Ａ）の画像信号の有効画面期間に同期した波形となっている。更に、かかる電子透かしの挿入波形は、挿入対象の画像信号の有効画面期間をＡ領域とＢ領域との２つの領域に分割した際に、Ａ領域の部分が“１”のレベルとなっており、Ｂ領域の部分が“０”のレベルとなっている固定の信号レベルからなる波形とされている。そして、図４（Ａ）に示す画像信号と、図４（Ｂ）に示す挿入波形とを合成したものが、図４（Ｃ）に示す挿入後の合成画像信号の信号波形となり、このような合成処理を１画面分或いは複数画面分行なった合成信号が、電子透かし処理により挿入波形を重畳した合成画像信号となる。
【０００７】
続いて、かかる電子透かし処理により挿入波形が重畳されている合成画像信号から、電子透かしとされる挿入波形を検出する場合は、図４（Ｃ）に示すような合成画像信号即ち前記挿入波形を挿入後の信号の信号波形において、Ａ領域の信号からＢ領域の信号を減算し、減算した差分信号を水平区間毎に累積加算していく。かくのごとき累積加算を施すことにより、図４（Ａ）に示す画像信号の成分が、挿入波形に対してランダムな信号波形となっているため、前記差分信号の中に含まれる図４（Ａ）の画像信号成分は限りなく０に近接していく。一方、挿入波形は、“１”レベル（Ａ領域）と“０”レベル（Ｂ領域）との一定レベルの繰り返しであり、前記差分信号として、該挿入波形の“１”レベルと“０”レベルとの差分データが累積加算されていく。而して、図４（Ｂ）のごとき挿入波形のデータ即ち電子透かし用の信号が浮き上がってくる。
【０００８】
従って、かくのごとき例により示した電子透かし処理によれば、挿入波形が既知の場合であれば、前記差分信号を検出することにより、電子透かし用の挿入波形が画像信号に正相で挿入されたか、又は、逆位相で挿入されたかを検出することができる。なお、ここでは、電子透かし処理の例として最も簡単な例を示したが、かかる場合のみが限らず、例えば、挿入波形の周波数を図４（Ａ）の有効画面期間を２分するＡ及びＢの期間の周波数よりも更に上げたり、また、挿入波形の波形を“１”レベルと“０”レベルの繰り返しではなく更に複雑にしたり、周期を固定して信号波形を変形したりしても良い。
【０００９】
また、ここでは、電子透かし処理の例として、画像信号の水平区間内の有効画面期間に対して挿入波形を重畳する処理を示しているが、画面に対して挿入波形を垂直方向に重畳する処理を行なうことも可能である。また、水平方向と垂直方向とは互いに相関がないので、それぞれ独立に異なる挿入波形を水平方向と垂直方向とに重畳する処理を行なうことも可能である。
【００１０】
次に、電子透かしを用いてデータの種類を識別する従来例として、特開平１１−１４４３８１号公報「データ記録再生装置、同装置に用いられる記録媒体、コンピュータシステム及びデータ再生方法」に記載された技術がある。以下に、電子透かしをデータの種類の識別用に利用する従来の実施形態について、特開平１１−１４４３８１号公報に記載の図面を参照して説明する。ここに、図５は、電子透かしを利用する従来技術である特開平１１−１４４３８１号公報に記載のコンピュータシステムの実施形態を示すブロック構成図である。
【００１１】
図５に示すコンピュータシステムは、パーソナルコンピュータ（以下、ＰＣと称す）５１、データ記録再生装置としてのＤＶＤ−ＲＡＭドライブ５２及び記録媒体５３により構成されている。ＰＣ５１は、一般的なコンピューティング機能を備えており、ＤＶＤ−ＲＡＭドライブ５２の上位装置として機能し、ＤＶＤ−ＲＡＭドライブ５２を介して記録媒体５３に対してデータの書込み／読出しを行なうことができる。
ここで、記録媒体５３に書き込むデータの種類（即ち、信頼性を要求されるコンピュータデータと、記録再生時間の連続性が要求される映像データとの２種類のデータ）を識別するための識別情報として、ＰＣ５１側において、映像データに対しては、電子透かし情報（Ｄｉｇｉｔａｌ　Ｗａｔｅｒｍａｒｋ）が複数の箇所に埋め込まれる。
【００１２】
ＤＶＤ−ＲＡＭドライブ５２（データ記録再生装置）は、ＰＣ５１から送られてくるコンピュータデータ又は映像データの２種類のデータの記録再生処理を行なうことができるが、前述のごとく、映像データの中に、データの種類を識別する（即ち、映像データであることを識別する）ために埋め込まれている電子透かし情報（Ｄｉｇｉｔａｌ　Ｗａｔｅｒｍａｒｋ）を検出して、記録再生するデータの種類を識別することにより、データ種類に応じて、記録再生する動作を切り替えるように制御している。
【００１３】
データの書込み時において、ＰＣ５１からＤＶＤ−ＲＡＭドライブ５２に対して、書込み命令が出力されると共に、その書込み対象となるデータが出力される。ＤＶＤ−ＲＡＭドライブ５２側においては、書込み対象データと書込み命令とが、Ｉ／Ｆ５４を介して入力されると、該書込み対象データをメモリ５９に順次格納しながら、書込み回路５５を通じて、該書込み対象データを記録媒体５３に書き込む。
ここで、通常は、記録媒体５３に対するデータの書込み後、信頼性向上のためにデータが正しく記録媒体５３に記録されているか否かをチェックするためのベリファイ処理が、ベリファイ管理部５７を動作させて行なわれるが、本実施形態においては、かかるベリファイ処理は、書込み対象のデータの種類に応じて制御されている。
【００１４】
即ち、記録媒体５３に対するデータの書込みが終了すると、ＣＰＵ５６は、Ｗａｔｅｒｍａｒｋ検出部５８を通じて、記録媒体５３に書き込んだデータに電子透かし情報（Ｄｉｇｉｔａｌ　Ｗａｔｅｒｍａｒｋ）が埋め込まれているか否かをチェックする。その結果、電子透かし情報（Ｄｉｇｉｔａｌ　Ｗａｔｅｒｍａｒｋ）が埋め込まれていないデータであれば、当該データはコンピュータデータであると判別することができる。従って、ＣＰＵ５６は、ベリファイ管理部５７を通じて、記録媒体５３に書き込んだコンピュータデータに対するベリファイ処理を実行する。即ち、コンピュータデータの場合には、信頼性を重視して、記録媒体５３に書き込んだデータを読出し回路５５ａを介して一旦読み出して、正しく記録されていたか否かをチェックし、正しく記録されていない場合には、ベリファイ管理部５７を制御して、再度書込みを実行させるなどの処理を行なう。
【００１５】
一方、電子透かし情報（Ｄｉｇｉｔａｌ　Ｗａｔｅｒｍａｒｋ）が埋め込まれているデータである場合には、記録媒体５３に書き込んだ当該データは、映像データであると判別することができる。この場合、ＣＰＵ５６は、記録媒体５３に書き込んだ映像データに対するベリファイ処理を行なうことなく、書込み処理を終了する。
【００１６】
かくのごとく、電子透かし情報（Ｄｉｇｉｔａｌ　Ｗａｔｅｒｍａｒｋ）の有無により、記録媒体５３に書き込んだデータが、コンピュータデータか映像データかを判別し、コンピュータデータの場合にのみ、書込みデータに対するベリファイ処理を行ない、書込みデータの信頼性を向上させることができる。一方、信頼性よりもデータ記録時の時間的な連続性を重視する映像データに対しては、ベリファイ処理を省略して連続的に記録媒体５３にデータを書き込むことにより、書込み処理に要する時間を短縮させることができる。
【００１７】
同様にして、記録媒体５３からのデータの読出し時においては、電子透かし情報（Ｄｉｇｉｔａｌ　Ｗａｔｅｒｍａｒｋ）の有無により、記録媒体５３から読出し回路５５ａを介して読み出された読出しデータがコンピュータデータか映像データかを判別し、電子透かし情報（Ｄｉｇｉｔａｌ　Ｗａｔｅｒｍａｒｋ）が埋め込まれていないコンピュータデータの場合にのみ、読出しエラーが伴うデータに対するリトライ処理を、リトライ管理部５７ａを制御して行なう。一方、信頼性よりもデータ再生時の時間的な連続性を重視する映像データに対しては、たとえ、読出しエラーを伴うデータが読み出されたとしても、リトライ処理を省略して連続的に記録媒体５３からデータを読み出すことにより、読出し処理に要する時間を短縮させることができる。
【００１８】
次に、電子透かし（Ｄｉｇｉｔａｌ　Ｗａｔｅｒｍａｒｋ）を用いたＩＣカードの暗号化技術の従来例として、特開２００２−１０１０９２号公報「個人認証装置、個人認証情報記憶媒体、個人認証システム、個人認証方法、個人認証プログラムを記憶した媒体、個人認証情報登録方法および個人認証情報認証方法」に記載の技術がある。以下に、電子透かしを用いたＩＣカードの暗号化技術の従来の実施形態について、特開２００２−１０１０９２号公報に記載の図面を参照して説明する。ここに、図６は、電子透かしを用いたＩＣカードの従来の暗号化技術である特開２００２−１０１０９２号公報に記載の個人認証システムの実施形態としての模式的なデータ処理の流れを示す模式図である。
【００１９】
図６に示す個人認証システムにおいては、ＩＣカード６０を取得する際に、登録業者の登録端末６１において、該ＩＣカード６０の所有者である各個人が、予め、該所有者に関する個人情報（例えば、氏名，住所など）と該所有者に関する画像（例えば、顔）とをデータとしてＩＣカード６０に書き込んで登録しておき、買い物などの際に、該ＩＣカード６０をＰＯＳ端末６２に装着して、本人の認証を行なうものである。
まず、ＩＣカード６０の所有者は、該ＩＣカード６０を取得する際に、電子透かしを入れる画像データ６１ａ，個人情報データ６１ｂ，登録業者の秘密鍵ＶＳを取得する。画像データ６１ａは、一例として、ＩＣカード６０の所有者の身体（例えば、顔）を表すものを利用することができる。また、個人情報データ６１ｂは、ＩＣカード６０の所有者個人の氏名，住所，年齢などであるが、当該ＩＣカード６０の使用用途によって適宜変更可能である。
【００２０】
そして、画像データ６１ａと個人情報データ６１ｂとを登録業者の秘密鍵ＶＳを利用して電子透かし化処理を施すと共に、更に、個人情報データ６１ｂを所有者の秘密鍵ＯＳを使用して暗号化して、両者をＩＣカード６０に書き込む。
この結果、図６に示すように、ＩＣカード６０には、透かし入り画像データ６０ａと暗号化データ６０ｂとが保存されることになる。
【００２１】
次に、ＩＣカード６０を使用してＰＯＳ端末６２において個人認証を行なう場合は、登録業者の公開鍵ＶＰと所有者の公開鍵ＯＰとを用いて、透かし入り画像データ６０ａと暗号化データ６０ｂとから、当該ＩＣカード６０の所有者の個人情報データａ　６２ａと個人情報データｂ　６２ｂとをそれぞれ抽出する。抽出された２つの個人情報データａ　６２ａと個人情報データｂ　６２ｂとを照合することにより、個人認証を行なうと共に、ＩＣカード６０に記録されているデータの改ざんの有無をチェックする。
【００２２】
以上のように、図６に示す電子透かしを用いたＩＣカードの従来技術においては、ＩＣカードに対して電子透かしを埋め込み、埋め込んだ電子透かしを抽出するために、所有者と登録業者との二組の秘密鍵と公開鍵とを利用して、ＩＣカードに記録されている画像データと情報データとの改ざんを防止でき、ＩＣカードの記録内容を極めて安全性の高いものとすることができる。
【００２３】
【発明が解決しようとする課題】
ところで、メモリカード等のデータ記録媒体は、カードケースの構造上、どのメモリカードに如何なるデータが記録されているのか、特に、所定のメモリカードに使用者が必要としているデータや、探しているデータが記録されているのか、といったことは、メモリカードに記録されているデータを読出し再生することができるメモリカード再生機上でしか確認することができず、大変不便であり、手間のかかる作業になってしまうのが現状である。
【００２４】
即ち、従来技術として前述した特開平１１−１４５８４０号公報に記載の技術においては、電子透かしをデータ（即ち、画像信号）に埋め込んだとしても、所定の記録媒体（例えば、メモリカード）に、電子透かしが埋め込まれたデータが記録されているか否かということまでは、一旦、データ（即ち、画像信号）の再生を行なわない限り、分からなかった。
また、電子透かし情報の有無により、データの記録再生動作を切り替えさせる従来技術である特開平１１−１４４３８１号公報に記載の技術においても、また、電子透かし化した個人情報をＩＣカードに埋め込む従来技術として前述した特開２００２−１０１０９２号公報に記載の技術においても、更には、かかる従来技術とは異なる如何なる従来技術にあっても、記録媒体をデータ読出し再生用機器に搭載して、当該記録媒体に記録されているデータを再生すること無しに、当該記録媒体に記録されているデータに電子透かし情報が埋め込まれているか否かを、使用者が知ることは不可能であり、当該記録媒体単体では、該記録媒体に電子透かしが埋め込まれているか否かを知ることが全く不可能であった。
【００２５】
而して、例えば、記録媒体に記録されるデータ種別（例えば、個人情報，画像データ，音楽データ，通常のデータなど）に応じて、電子透かしの有無を含めて、異なる内容の電子透かしを埋め込むこととしても、該記録媒体単体では、如何なるデータが記録されているか否かを全く知ることができず、一旦、該記録媒体のデータ再生用機器により再生する動作が必要となり、電子透かし技術を用いた記録媒体の操作性に難点があった。
【００２６】
本発明は、かかる事情に鑑みてなされたものであり、データ記録媒体に記録される特定のデータに対しては、該データのデータ種別に応じた異なる内容の電子透かしを予め埋め込み、かかる電子透かしが埋め込まれている特定のデータを記録しているデータ記録媒体に関し、該データ記録媒体のデータを再生する操作を改めて行なうことなく、該データ記録媒体単体から、電子透かしが埋め込まれて記録されている特定のデータのデータ種別に応じて、異なる刺激情報、例えば、報知音，報知香気，報知振動，報知光など、使用者の知覚系に感応する刺激情報を報知情報として発生させ、該報知情報に応じて特定のデータが記録されているデータの種別（個人情報，画像データ，音楽データ，通常のデータなど）を特定することができると共に、かかる特定のデータが記録されているデータ記録媒体であるか否かを使用者に報知することを可能にせんとするものであり、もって、使用者が探している特定のデータが記録されているデータ記録媒体を、データの読出し再生操作を伴うことなく、データ記録媒体単体で確認することを可能にせんとするものである。
【００２７】
【課題を解決するための手段】
本発明に係るデータ記録媒体、データ記録再生装置及びデータ記録方法は、前述した目的を達成するために、映像、音声などの種々のデータを記録することが可能なデータ記録媒体において、電子透かしが埋め込まれた特定データが記録されている場合に、該特定データのデータ種別に応じて埋め込まれた異なる内容の電子透かしに応じて、異なる音，香気，振動，光（即ち、特定データの記録を報知するために、データ種別毎に異なる報知情報として、異なる内容の報知音，報知香気，報知振動，報知光）等のいずれか又は複数の報知情報を発生させることが可能な報知装置を、データ記録媒体に備え、備えられた該報知装置は、データ記録媒体に設けられたマニュアル操作可能なスイッチをオンさせることにより、電子透かしが埋め込まれた特定のデータが記録されているデータ記録媒体であるか否かを判別して、特定のデータが記録されている場合には、該特定のデータのデータ種別に応じて異なる内容の電子透かしが埋め込まれている特定のデータの種別に基づいて、異なる内容の報知音，報知香気，報知振動，報知光等を発生させるように構成されているものであり、一方、前記スイッチをオフさせることにより、電子透かしが埋め込まれた特定のデータが記録されているデータ記録媒体であっても、報知音，報知香気，報知振動，報知光等の発生を停止させるように構成されている。
即ち、本発明に係るデータ記録媒体は、以下のごとき具体的な技術手段から構成されている。
【００２８】
第１の技術手段は、電子透かしが埋め込まれたデータが記録されていることを検出することができる電子透かし検出手段と、該電子透かし検出手段により前記電子透かしが埋め込まれていることが検出された際に、使用者の知覚系に感応させることができる刺激情報を報知情報として出力することにより、前記電子透かしが埋め込まれたデータが記録されていることを使用者に報知する報知手段とを備えているデータ記録媒体とすることを特徴とするものである。
【００２９】
第２の技術手段は、前記第１の技術手段に記載のデータ記録媒体において、前記報知手段が出力する前記報知情報が、音、光、振動、香気のいずれか一つ又は複数個の報知情報からなっているデータ記録媒体とすることを特徴とするものである。
【００３０】
第３の技術手段は、前記第１又は第２の技術手段に記載のデータ記録媒体において、データに埋め込まれる前記電子透かしが、前記データのデータ種別に応じて異なる内容の電子透かしからなっていて、前記電子透かし検出手段が、異なる内容の電子透かしを判別して検出することができるデータ記録媒体とすることを特徴とするものである。
【００３１】
第４の技術手段は、前記第３の技術手段に記載のデータ記録媒体において、前記報知手段が、前記電子透かし検出手段により判別して検出された異なる内容の電子透かしそれぞれに応じて、前記報知情報を異なる内容からなる報知情報として出力することが可能であるデータ記録媒体とすることを特徴とするものである。
【００３２】
第５の技術手段は、前記第１乃至第４の技術手段のいずれかに記載のデータ記録媒体において、異なる内容の電子透かしそれぞれに対応するデータ種別を分類分けしてデータ種別の分類情報として予め設定することができるデータ判別手段を備え、前記電子透かし検出手段により検出された異なる内容の電子透かしそれぞれに基づいて、前記データ判別手段が、予め設定されている前記データ種別の分類情報を索引することにより、検出された異なる内容の電子透かしに該当するデータ種別の分類情報を特定して判別することができるデータ記録媒体とすることを特徴とするものである。
【００３３】
第６の技術手段は、前記第５の技術手段に記載のデータ記録媒体において、前記データ判別手段により特定して判別された前記データ種別の分類情報に応じて、前記報知手段が、前記報知情報を異なる内容からなる報知情報として出力することが可能であるデータ記録媒体とすることを特徴とするものである。
【００３４】
第７の技術手段は、前記第１乃至第６の技術手段のいずれかに記載のデータ記録媒体において、使用者がマニュアル操作することが可能なスイッチを備え、該スイッチのオン／オフ操作により、前記報知手段からの前記報知情報の出力動作を制御することを可能とするデータ記録媒体とすることを特徴とするものである。
【００３５】
第８の技術手段は、前記第１乃至第７の技術手段のいずれかに記載の前記データ記録媒体に記録されるデータとして、データ種別に応じて電子透かしを埋め込んだ状態のデータを前記データ記録媒体に記録させることができ、また、前記電子透かしが埋め込まれているデータを前記データ記録媒体から読み出すことができるデータ記録再生装置とすることを特徴とするものである。
【００３６】
第９の技術手段は、データ記録媒体に記録されるデータのデータ種別に応じて電子透かしを埋め込んだ状態のデータを、前記データ記録媒体に記録するデータ記録ステップと、該データ記録ステップにより記録された前記データに埋め込まれた電子透かしを当該データ記録媒体単体で判別することができる電子透かし検出手段により、電子透かしが埋め込まれていることが検出された際に、使用者の知覚系に感応することができる刺激情報を報知情報として出力する検出・報知ステップとからなり、電子透かしが埋め込まれたデータが記録されていることを当該データ記録媒体単体で使用者に報知することを可能とするデータ記録方法とすることを特徴とするものである。
【００３７】
【発明の実施の形態】
以下に、本発明に係るデータ記録媒体の実施形態の一例を、図面を参照しながら説明する。図１は、本発明に係る電子透かしを用いたデータ記録媒体の実施形態における構成の一例を示すブロック構成図である。
図１においては、本発明に係るデータ記録媒体として、メモリカード１０を用いている場合を示しており、メモリカード１０に記録するデータに対して電子透かしを埋め込む電子透かし埋め込み手段１と、メモリカード１０に電子透かしが埋め込まれたデータを書き込むための書込み手段である外部機器２とを合わせて表示している。ここで、メモリカード１０は、データが記録されるメモリ１１と、電子透かしが埋め込まれたデータがメモリ１１に記録されていることを、使用者に報知する判別・報知手段１２とから構成される。
【００３８】
また、判別・報知手段１２は、メモリ１１に記録されているデータに埋め込まれている電子透かしを検出すると共に、埋め込まれている該電子透かしの内容を特定して判別することができる電子透かし検出回路１３と、電子透かし検出回路１３からの電子透かしの内容に応じて、該電子透かしが埋め込まれた特定のデータのデータ種別或いは該データ種別の分類を判別することができるデータ判別回路１４と、メモリカード１０に使用者が必要とする特定のデータが記録されているか否かを、使用者が知りたくなった時に、マニュアル操作によりオン状態に設定することができるスイッチ１５と、データ判別回路１４からの駆動信号に基づいて、音，香気，振動，光（即ち、報知音，報知香気，報知振動，報知光）など、使用者の知覚系に感応させることができる刺激情報を報知情報として発生させ、電子透かしが埋め込まれた特定のデータが記録されていることを、データ種別或いは該データ種別の分類情報を含めて、使用者に報知することができる報知装置１６と、電子透かし検出回路１３とデータ判別回路１４と報知装置１６とに電力を供給する電池１７とから構成されている。
【００３９】
また、スイッチ１５は、マニュアル操作によりオン状態に設定した状態においては、報知装置１６に対して電池１７からの電力が供給されて、報知装置１６が作動可能な状態にされる。なお、スイッチ１５のオン／オフ操作により、報知装置１６が作動可能な状態／作動停止の状態に切替制御される場合のみに限るものではなく、スイッチ１５のオン／オフ操作により、電子透かし検出回路１３からの信号を受信するデータ判別回路１４の作動及び／又は報知装置１６の作動を制御することを可能とすることとしても良い。
【００４０】
また、判別・報知手段１２には、前述のごとく、メモリ１１に記録されているデータに埋め込まれている電子透かしを、電子透かしの内容と共に判別して検出することができる電子透かし検出回路１３が備えられており、該電子透かし検出回路１３により検出された電子透かしの内容（電子透かしの有無も含め）に応じて、データ判別回路１４は、メモリ１１に記録されているデータのデータ種別（例えば、画像データ，音楽データ，個人情報に関するデータなど）を判別することができる。
【００４１】
ここで、埋め込まれた電子透かしの内容に応じて、即ち、異なる内容の電子透かしに対応するデータ種別（例えば、画像データ，音楽データ，個人情報，一般のデータなどのデータ種別）に応じて、使用者に報知すべき報知情報を異なる内容の報知情報として出力するか、などの報知方法を、使用者が適宜選択して、データ判別回路１４に設定することも可能である。あるいは、記録されているデータが、消去せずに保存すべきデータかあるいは消去せずに追記することが可能なデータかあるいは上書きして消去することが可能なデータかなどのデータ属性（データ種別）に応じて、使用者に報知すべき報知情報を異なる内容の報知情報として出力するか、などの報知方法を、使用者が適宜選択して、データ判別回路１４に設定することも可能である。
【００４２】
更には、異なる内容の電子透かしそれぞれに対応するデータ種別を分類分けして、データ種別の分類情報としてデータ判別回路１４に使用者が予め設定する（例えば、画像データと音楽データを一つのデータ種別の分類情報として纏めるように分類分けして、予め設定するなど）ことも可能であり、かかる予め設定されているデータ種別の分類情報を、電子透かし検出回路１３にて検出された電子透かしそれぞれに基づいて索引することにより、検出された異なる内容の電子透かしに該当するデータ種別の分類情報を特定して、特定された該データ種別の分類情報に応じて、使用者に報知すべき報知情報を異なる内容の報知情報として出力することも可能である。
即ち、データ判別回路１４は、電子透かし検出回路１３により検出された電子透かしの内容に応じて、使用者が予め選択設定したデータ種別或いはデータ種別の分類情報を特定して判別することが可能であり、判別された該データ種別或いはデータ種別の分類情報に応じた駆動信号を報知装置１６に対して出力することにより、所有者が所望するデータ種別或いはデータ種別の分類情報に応じた種類の報知情報を出力することができる。
【００４３】
なお、データに埋め込まれる電子透かしの埋め込み方式としては、信号波形や画素等の標本値に特定の処理を施して埋め込む方式や、データを周波数成分に変換して、特定の周波数成分に埋め込む方式など種々の方式があるが、本発明においては、かかるいずれか特定の方式に限定されているものではない。
【００４４】
また、電子透かし検出回路１３においては、メモリ１１から読み出したデータに対して、電子透かしの埋め込み時の埋め込み方式とは逆の処理（逆変換）を施すことにより、電子透かしを検出することができる。しかしながら、本発明に係るデータ記録媒体例えばメモリカード１０においては、かかるデータの読出し再生動作を行なうことなく、当該メモリカード１０に対してデータの書込み記録動作を行なう際に、電子透かしが埋め込まれた特定のデータを記録する記録動作がなされているか否かを、電子透かし検出回路１３において常に監視し、電子透かしが埋め込まれた特定のデータが記録されようとしている場合には、該電子透かしの内容も含め、電子透かし検出回路１３内の制御用メモリあるいはメモリ１１内の制御専用のメモリ番地に記憶保存することにより、如何なる電子透かしが埋め込まれているデータが記録されているかを直ちに検出することが可能である。
【００４５】
図２は、図１に示した報知装置１６の実施形態の一例を示すブロック図であり、４種類の報知装置を例示している。メモリカード１０には、かくのごとき複数の報知装置１５のいずれか一つ又は複数の報知装置を予め備えており、而して、電子透かしを埋め込んだ特定のデータがメモリカード１０に記録されている場合は、いずれか一つ又は複数の報知装置１５が駆動されて、特定のデータが記録されている旨を使用者に報知することができる。
【００４６】
図２（Ａ）は、電子透かしが埋め込まれた特定のデータが記録されているデータ種別或いはデータ種別の分類情報を示すデータ判別回路１４からの信号入力により鳴動する報知ブザー２１よりブザー音（報知音）を発生させる場合を示し、図２（Ｂ）は、電子透かしが埋め込まれた特定のデータが記録されているデータ種別或いはデータ種別の分類情報を示すデータ判別回路１４からの信号入力により発熱するサーマルヘッド２２と該サーマルヘッド２２からの熱により香気を発する香料２３とからなり、香料２３より香気（報知香気）を発生させる場合を示し、図２（Ｃ）は、電子透かしが埋め込まれた特定のデータが記録されているデータ種別或いはデータ種別の分類情報を示すデータ判別回路１４からの信号入力により振動する振動モータ２４より振動（報知振動）を発生させる場合を示し、図２（Ｄ）は、電子透かしが埋め込まれた特定のデータが記録されているデータ種別或いはデータ種別の分類情報を示すデータ判別回路１４からの信号入力により発光するＬＥＤ２５より光（報知光）を発生させる場合を示している。
【００４７】
ここに、複数種類のデータ種別からなるデータに異なる内容の電子透かしを埋め込んでメモリカード１０に記録する場合については、以下の如く、報知装置１５が構成されており、いずれか一つ又は複数の報知装置１５が、検出された電子透かしの内容であるデータ種別或いはデータ種別の分類情報に応じて作動される。図２（Ａ）に示す報知装置１６においては、報知装置１６に複数の音源を有する報知ブザー２１を備えており、検出された電子透かしの内容であるデータ種別或いはデータ種別の分類情報を指定するデータ判別回路１４から、報知装置作動の駆動信号が入力すると、報知ブザー２１が該データ種別或いはデータ種別の分類情報に応じて異なる特定の音を報知音として発生して、メモリカード１０に該データ種別或いはデータ種別の分類情報に応じた特定のデータが記録されていることを使用者に報知する。
【００４８】
また、図２（Ｂ）に示す報知装置１６においては、報知装置１６に複数のサーマルヘッド２２と複数のマイクロカプセル状の香料２３とを備えており、検出された電子透かしの内容であるデータ種別或いはデータ種別の分類情報を指定するデータ判別回路１４から、報知装置作動の駆動信号が入力すると、サーマルヘッド２２が該データ種別或いはデータ種別の分類情報に応じて異なる香料２３を加熱・破壊し、該データ種別或いはデータ種別の分類情報に応じた特定の香気を報知香気として発生して、メモリカード１０に該データ種別或いはデータ種別の分類情報に応じた特定のデータが記録されていることを使用者に報知する。
【００４９】
また、図２（Ｃ）に示す報知装置１６においては、報知装置１６に複数の振動周波数からなる振動モータ２４を備えており、検出された電子透かしの内容であるデータ種別或いはデータ種別の分類情報を指定するデータ判別回路１４から、報知装置作動の駆動信号が入力すると、振動モータ２４がメモリカード１０を該データ種別或いはデータ種別の分類情報に応じて異なる特定の振動周波数により報知振動として振動させて、メモリカード１０に該データ種別或いはデータ種別の分類情報に応じた特定のデータが記録されていることを使用者に報知する。
【００５０】
また、図２（Ｄ）に示す報知装置１６においては、報知装置１６に複数の異なる色光を発光するＬＥＤ２５を備えており、検出された電子透かしの内容であるデータ種別或いはデータ種別の分類情報を指定するデータ判別回路１４から、報知装置作動の駆動信号が入力すると、該データ種別或いはデータ種別の分類情報に応じて異なるＬＥＤ２５が報知光として特定波長の光を発光し、該データ種別或いはデータ種別の分類情報に応じた特定のデータが記録されていることを使用者に報知する。
【００５１】
以下に、本発明に係るデータ記録媒体の動作に関する実施形態の一例を、図３に示すフローチャートに従って説明する。ここに、図３は、本発明に係るデータ記録媒体の動作の一例を、メモリカード１０を例にとって示しているフローチャートである。なお、図３に示すフローチャートにおいては、図１に示す報知装置１６として、図２（Ａ）に示すような報知ブザー２１を備えていて、特定の電子透かしを埋め込んだ特定のデータ「Ａ」が記録されている場合、報知ブザー２１により該特定のデータ「Ａ」のデータ種別（即ち、電子透かしの内容）に対応する報知音を発生する場合について説明するものとする。
【００５２】
まず、メモリカード１０にデータを記録せんとする際に、報知装置１６を介してある特定の報知音を出力させたい特定のデータ「Ａ」を記録せんとしているか否かを判別する（ステップＳ１）。特定の報知音を出力したい特定のデータ「Ａ」を記録せんとする場合には（ステップＳ１のＹＥＳ）、メモリカード１０への記録対象の該特定のデータ「Ａ」が生成又は保管されている外部機器２において、該特定のデータ「Ａ」のデータ種別を特定することができる特定の電子透かしを、記録対象の特定のデータ「Ａ」に対して埋め込む動作の指示をする（ステップＳ２）。
【００５３】
次に、ＰＣ，デジタルスチルカメラ，携帯電話機などの当該外部機器２にメモリカード１０を装着し、データ種別に対応した特定の電子透かしが埋め込まれている状態で特定のデータ「Ａ」を当該メモリカード１０に書き込む（ステップＳ３）。かかる特定の電子透かしが埋め込まれた特定のデータの書き込み動作がなされた際に、電子透かし検出回路１３において、特定のデータに埋め込まれているデータ種別に対応した特定の電子透かしの内容を制御用メモリ内に保存記憶する。
特定のデータ「Ａ」の書き込みが終了した後、当該メモリカード１０を、外部機器２から取り外す（ステップＳ４）。
【００５４】
一方、報知音を出力すべき特定のデータ「Ａ」以外の通常のデータを記録せんとしている場合には（ステップＳ１のＮＯ）、電子透かしが埋め込まれていない状態でデータをメモリカード１０に書き込んだ後（ステップＳ１３）、当該メモリカード１０を、外部機器２から取り外す（ステップＳ４）。
以上の書き込み動作が終了すると、電子透かしが埋め込まれた特定のデータ「Ａ」あるいは電子透かしが埋め込まれていない通常のデータのいずれかのデータが記録された状態のメモリカード１０が単体で保管される状態になる。
【００５５】
次に、単体で保管されているメモリカード１０が外部機器２に装着されていない状態にある場合に、使用者が、当該メモリカード１０に、データ種別毎に異なる特定の電子透かしが埋め込まれている特定のデータ「Ａ」が記録されているか否かを、把握したくなった場合（ステップＳ５のＹＥＳ）、メモリカード１０に備えられているスイッチ１５をオン操作する（ステップＳ６）。該スイッチ１５は当該メモリカード１０の使用者がマニュアル操作することが可能である。スイッチ１５がマニュアル操作によりオン状態になると、図１において説明したように、メモリカード１０内の報知装置１６に電池１７からの電力が供給されて、報知装置１６が作動可能な状態となる。
【００５６】
一方、データ判別回路１４においては、電子透かし検出回路１３により、メモリ１１への書き込み動作時において検出されて、制御用メモリに記憶されている特定の電子透かしの有無情報又は電子透かし毎に対応するデータ種別或いはデータ種別の分類情報に基づいて、メモリ１１内に記録されているデータのデータ種別が、所望のデータ種別或いはデータ種別の分類情報に対応する特定の電子透かしが埋め込まれた特定のデータ「Ａ」であるか否かが判別される（ステップＳ７）。かかる判別結果として、特定のデータ「Ａ」が記録されていると判定された場合には（ステップＳ８のＹＥＳ）、データ判別回路１４から報知装置１６に対して駆動信号が出力され、該駆動信号を受信した報知装置１６は、該特定のデータ「Ａ」に対応する報知音を鳴動させる（ステップＳ９）。
【００５７】
なお、図２に示すごとく、報知装置１６としては、前述のごとく、報知音を鳴動させる報知ブザー２１の場合のみに限らず、報知香気を出力するサーマルヘッド２２と香料２３とからなる場合、報知振動を出力する振動モータ２４からなる場合、あるいは、報知光を出力するＬＥＤ２５からなる場合であっても良く、また、一つの特定のデータ「Ａ」に対応して、複数種類の報知情報を出力させることができるように複数種類の報知装置を備えている場合であっても良く、あるいは、かかる報知手段のそれぞれにおいて、電子透かしの内容即ちデータに埋め込まれた電子透かしの内容に対応する特定のデータのデータ種別或いはデータ種別の分類情報に応じて異なる刺激情報（報知情報）を出力できるように、複数個備えている場合であっても勿論構わない。
【００５８】
ステップＳ９により出力される特定の報知音を聴取することにより、使用者は、当該メモリカード１０に、所望のデータ種別或いはデータ種別の分類情報に応じた特定の電子透かしが埋め込まれた特定のデータ「Ａ」が記録されていることを確認することができる（ステップＳ１０）。
然る後に、使用者がマニュアル操作によりスイッチ１５をオフすることにより（ステップＳ１１）、報知装置１６に対する電池１７からの電力の供給を停止させて、報知装置１６からの報知音の出力を停止させる（ステップＳ１２）。
【００５９】
一方、ステップＳ１３において通常のデータをメモリカード１０に記録している場合のように、電子透かしを埋め込んだ特定のデータ「Ａ」がメモリカード１０のメモリ１１に記録されていなかった場合には（ステップＳ８のＮＯ）、データ判別回路１４から報知装置１６に対しては、駆動信号が出力されず、報知装置１６は作動せず、報知音が出力されることはない（ステップＳ１４）。
従って、使用者は、当該メモリカード１０に、特定の電子透かしが埋め込まれている特定のデータ「Ａ」が記録されていないことを直ちに確認することができる（ステップＳ１５）。
【００６０】
而して、使用者は、例えば、データ種別として、音楽データや画像データが蓄積保存されているメモリカード１０であるか、クレジットカードのごとき個人情報等の重要データが蓄積保存されているメモリカード１０であるか、一般のデータが保存されているメモリカードであるか否か、あるいは、消去せずに保存したいデータが記録されているメモリカード１０であるか、上書きしても構わないデータが記録されているメモリカード１０であるか否かなど、使用者が所望する分類に分類分けされて、記録されているデータのデータ種別或いはデータ種別の分類情報をメモリカード単体で容易に判別することができると共に、多数のメモリカード１０を所持している場合であっても、例えば、重要なデータが記録されているデータ記録媒体を容易に探し出すことが可能になる。
【００６１】
【発明の効果】
以上に説明したごとく、本発明に係るデータ記録媒体、データ記録再生装置及びデータ記録方法によれば、メモリカード等のデータ記憶媒体が単体の状態にある場合において、データ記録媒体上に備えられたスイッチを操作するのみという極めて簡易なマニュアル操作により、特定の電子透かしを埋め込んだ特定のデータが記録されているか否かを直ちに確認することができる。
特に、個人情報等の重要なデータに対して特定の電子透かしを埋め込んでおくことにより、多数のデータ記録媒体を所持している場合であっても、該重要なデータが記録されているデータ記録媒体を容易に探し出すことが可能になる。
【００６２】
而して、従来技術のごとく、たとえ、データ記録媒体に所定の電子透かしをデータに埋め込んで記録させていたとしても、当該データ記録媒体を読出し再生することができる外部機器に該データ記録媒体を装着して、記録されているデータを読出し再生しない限り、データ記録媒体に電子透かしが埋め込まれているデータが記録されているか否かについて確認することができない場合とは異なり、本発明においては、データ記録媒体を読出し再生する外部機器を所持していない場合であっても、データ記録媒体単体で電子透かしが埋め込まれたデータが記録されているか否かを容易に確認することができる。
【図面の簡単な説明】
【図１】本発明に係る電子透かしを用いたデータ記録媒体の実施形態における構成の一例を示すブロック構成図である。
【図２】図１に示した報知装置の実施形態の一例を示すブロック図である。
【図３】本発明に係るデータ記録媒体の動作の一例を示すフローチャートである。
【図４】従来の実施形態における電子透かし処理の動作を説明するための画像信号を示す信号シーケンス図である。
【図５】電子透かしを利用する従来のコンピュータシステムの実施形態を示すブロック構成図である。
【図６】電子透かしを用いたＩＣカードの従来の暗号化技術である個人認証システムの模式的なデータ処理の流れを示す模式図である。
【符号の説明】
１…電子透かし埋め込み手段、２…外部機器、１０…メモリカード、１１…メモリ、１２…判別・報知手段、１３…電子透かし検出回路、１４…データ判別回路、１５…スイッチ、１６…報知装置、１７…電池、２１…報知ブザー、２２…サーマルヘッド、２３…香料、２４…振動モータ、２５…ＬＥＤ、５１…ＰＣ、５２…ＤＶＤ−ＲＡＭドライブ、５３…記録媒体、５４…Ｉ／Ｆ、５５…書込み回路、５５ａ…読出し回路、５６…ＣＰＵ、５７…ベリファイ管理部、５７ａ…リトライ管理部、５８…Ｗａｔｅｒｍａｒｋ検出部、５９…メモリ、６０…ＩＣカード、６０ａ…透かし入りの画像データ、６０ｂ…暗号化データ、６１…登録端末、６１ａ…画像データ、６１ｂ…個人情報データ、６２…ＰＯＳ端末、６２ａ…個人情報データａ、６２ｂ…個人情報データｂ、ＯＰ…所有者の公開鍵、ＯＳ…所有者の秘密鍵、ＶＰ…登録業者の公開鍵、ＶＳ…登録業者の秘密鍵。
【図１】
2004064109.tif 000003
【図２】
2004064109.tif 000004
【図３】
2004064109.tif 000005
【図４】
2004064109.tif 000006
【図５】
2004064109.tif 000007
【図６】
2004064109.tif 000008